(57)【要約】【課題】  Ｗｅｂページで情報の検索を行う場合、探している情報の概要や全容を容易に把握することを目的とする。【解決手段】  本を読む場合に、ぱらぱらとページをめくりながら、書いてある内容の概要や全容を把握することがある。Ｗｅｂページにおいて、同様の感覚で操作できる、ぱらぱらとページをめくる表示動作をする。またページをめくる速度に応じてページをめくる幅の調節を行う。よって、Ｗｅｂページにおいて、本で情報を探す場合と同じ感覚で、情報の検索を行うことが可能である。【選択図】        図１５
2006285375.tif 000002
【特許請求の範囲】
【請求項１】
ページに区切られた情報を記憶する記憶部と、
表示する情報を記憶するメモリにおいて、上記記憶部が記憶した上記情報の上記ページの一部をめくるページめくり部と、
上記メモリにおいて、上記ページを重ねて表示し、上記ページめくり部が上記ページの一部をめくった場合、めくられた上記ページの一部に該当する次のページの一部を表示する表示動作部とを備えることを特徴とする表示装置。
【請求項２】
上記表示装置は、さらに、上記ページめくり部にページをめくる指示をする指示部を備え、
上記ページめくり部は、上記指示部の指示に基づいて、連続してページをめくることを特徴とする請求項１記載の表示装置。
【請求項３】
上記表示装置は、さらに、上記ページめくり部が上記ページをめくる速度を指定する速度指定部と、上記速度指定部が指定した速度により、上記ページめくり部がめくる上記ページの一部のサイズを変更するめくりサイズ変更部を備えることを特徴とする請求項１記載の表示装置。
【請求項４】
上記記憶部は、上記情報の目次項目を持つ目次情報を記憶し、
上記表示装置は、さらに、
上記目次情報を表示する目次表示部と、上記目次表示部が表示した上記目次情報から上記目次項目を選択する選択部とを備え、
上記表示動作部は、上記選択部が選択した上記目次項目に該当する上記情報の上記ページを表示することを特徴とする請求項１記載の表示装置。
【請求項５】
上記目次表示部は、上記選択部が上記目次項目を選択した場合、上記選択部が選択した上記目次項目の表示を変更することを特徴とする請求項４記載の表示装置。
【請求項６】
上記表示装置は、さらに、
ＨＴＭＬ（ＨｙｐｅｒＴｅｘｔ  Ｍａｒｋｕｐ  Ｌａｎｇｕａｇｅ）コードを分解する分解部と、
上記分解部で分解したコードからページに区切られた上記情報と上記情報の目次項目を持つ目次情報とを生成する生成部を備え、
上記記憶部は、上記生成部で生成した上記情報と上記目次項目とを記憶することを特徴とする請求項１記載の表示装置。
【請求項７】
ページに区切られた情報を記憶する記憶ステップと、
表示する情報を記憶するメモリにおいて、上記記憶ステップが記憶した上記情報の上記ページの一部をめくるページめくりステップと、
上記メモリにおいて、上記ページを重ねて表示し、上記ページめくりステップが上記ページの一部をめくった場合、めくられた上記ページの一部に該当する次のページの一部を表示する表示動作ステップとを備えたことを特徴とする表示方法。
【請求項８】
ページの表示に際しては、三次元アニメーションにより、あたかも紙のページをめくるかのようにグラフィック表示をすることを特徴とする請求項１乃至請求項６いずれかに記載の表示装置。
【請求項９】
ページに区切られた情報を記憶部に記憶する記憶処理と、
表示する情報を記憶するメモリにおいて、上記記憶処理で記憶部に記憶した上記情報の上記ページの一部をめくるページめくり処理と、
上記メモリにおいて、上記ページを重ねて表示し、上記ページめくり処理で上記ページの一部をめくった場合、めくられた上記ページの一部に該当する次のページの一部を表示する表示動作処理とをコンピュータに実行させることを特徴とする表示プログラム。
【発明の詳細な説明】
【技術分野】
【０００１】
本発明はページめくりを行う表示装置および表示方法に関するものである。
【背景技術】
【０００２】
インターネットで情報を検索する場合、検索者は、検索サイトなどを使用して、探している情報の存在すると思われるページを表示させる。次に、検索者は、表示させたページ内または表示させたページを含むＷｅｂ（ウェブ）サイト内で探している情報の検索を行うという手順をとっている。従来ページ内およびＷｅｂサイト内の情報の検索を行うには、以下のような方法をとっていた。
まず、最も単純な方法としては、表示させたページを目で追って情報を探す方法がある。この場合、Ｗｅｂブラウザのページの表示方法により、情報の検索効率は大きく変わる。Ｗｅｂブラウザのページの表示方法としては、特開２００１−２２５５２号公報には、ページの一部を重ねて表示することで、複数ページを同時にＷｅｂブラウザに表示する方法がある。
また、他の検索を行う方法としては、Ｗｅｂブラウザのキーワード検索機能を利用する方法がある。検索者は、キーワードとして、探している情報の近辺で使用されると考えられる単語を使用して、ページ内を検索する。
また、他の検索を行う方法としては、指定したドメイン内で検索エンジンを使用する方法がある。表示させたページだけでなく、指定したドメインに含まれるページをまとめて検索する場合に使用される。
【特許文献１】特開２００１−２２５５２号公報
【特許文献２】特開平９−６２６９４号公報
【特許文献３】特開２０００−９９２３２号公報
【特許文献４】特開２００１−３３１４０７号公報
【発明の開示】
【発明が解決しようとする課題】
【０００３】
従来、Ｗｅｂサイトで情報の検索を行う場合、探している情報の概要や全容を把握するのに手間がかかるという課題があった。例えば、Ｗｅｂサイトを目で追って情報を探す場合、検索者は、Ｗｅｂサイトに存在している情報を見落とす可能性があるという課題があった。検索者がＷｅｂサイトに存在している情報を見落とす理由としては以下のことがあった。Ｗｅｂサイトの情報は、リンクにより複数のページに散らばって存在することが多い。そのため検索者は、探している言葉を発見し、その近辺の情報を読んだとしても、実際には別リンクに多くの情報が書かれていることがある。この場合には、別リンクに書かれている多くの情報を見落とす可能性がある。別リンクに重要な情報があった場合には、情報の概要や全容を把握することができない。
また、Ｗｅｂブラウザのキーワード検索を利用する場合は、検索キーワードに指定した単語を順に探していくため、検索にヒットした部分を読んでいくことでは、情報の概要や全容を把握することは難しいという課題がある。
また、指定したドメイン内で検索エンジンを使用する場合は、指定したキーワードにヒットしたページを１つずつ表示させ確認する必要がある。そのため、概要や全容を把握するには手間がかかるという課題がある。
また、Ｗｅｂブラウザのキーワード検索を利用する場合と指定したドメイン内で検索エンジンを使用する場合とは、キーワードとして指定した単語に検索結果が依存するため、少しでも異なる単語の指定すると目的を達成できないという課題がある。
【課題を解決するための手段】
【０００４】
本発明は、ページに区切られた情報を記憶する記憶部と、表示する情報を記憶するメモリにおいて、上記記憶部が記憶した上記情報の上記ページの一部をめくるページめくり部と、上記メモリにおいて、上記ページを重ねて表示し、上記ページめくり部が上記ページの一部をめくった場合、めくられた上記ページの一部に該当する次のページの一部を表示する表示動作部とを備えることを特徴とする。
【０００５】
上記表示装置は、さらに、上記ページめくり部にページをめくる指示をする指示部を備え、上記ページめくり部は、上記指示部の指示に基づいて、連続してページをめくることを特徴とする。
【０００６】
上記表示装置は、さらに、上記ページめくり部が上記ページをめくる速度を指定する速度指定部と、上記速度指定部が指定した速度により、上記ページめくり部がめくる上記ページの一部のサイズを変更するめくりサイズ変更部を備えることを特徴とする。
【０００７】
また、上記記憶部は、上記情報の目次項目を持つ目次情報を記憶し、上記表示装置は、さらに、上記目次情報を表示する目次表示部と、上記目次表示部が表示した上記目次情報から上記目次項目を選択する選択部とを備え、上記表示動作部は、上記選択部が選択した上記目次項目に該当する上記情報の上記ページを表示することを特徴とする。
【０００８】
また、上記目次表示部は、上記選択部が上記目次項目を選択した場合、上記選択部が選択した上記目次項目の表示を変更することを特徴とする。
【０００９】
上記表示装置は、さらに、ＨＴＭＬ（ＨｙｐｅｒＴｅｘｔ  Ｍａｒｋｕｐ  Ｌａｎｇｕａｇｅ）コードを分解する分解部と、上記分解部で分解したコードからページに区切られた上記情報と上記情報の目次項目を持つ目次情報とを生成する生成部を備え、上記記憶部は、上記生成部で生成した上記情報と上記目次項目とを記憶することを特徴とする。
【００１０】
また、ページに区切られた情報を記憶する記憶ステップと、表示する情報を記憶するメモリにおいて、上記記憶ステップが記憶した上記情報の上記ページの一部をめくるページめくりステップと、上記メモリにおいて、上記ページを重ねて表示し、上記ページめくりステップが上記ページの一部をめくった場合、めくられた上記ページの一部に該当する次のページの一部を表示する表示動作ステップとを備えたことを特徴とする。
【００１１】
また、ページの表示に際しては、三次元アニメーションにより、あたかも紙のページをめくるかのようにグラフィック表示をすることを特徴とする。
【００１２】
また、本発明は、ページに区切られた情報を記憶部に記憶する記憶処理と、表示する情報を記憶するメモリにおいて、上記記憶処理で記憶部に記憶した上記情報の上記ページの一部をめくるページめくり処理と、上記メモリにおいて、上記ページを重ねて表示し、上記ページめくり処理で上記ページの一部をめくった場合、めくられた上記ページの一部に該当する次のページの一部を表示する表示動作処理とをコンピュータに実行させる表示プログラムであることを特徴とする。
【発明の効果】
【００１３】
本発明による表示装置によれば、ページに区切られた情報をめくって表示することが可能である。そのため、書籍を読む場合と同様の感覚でＷｅｂページなどの表示および操作が可能である。よって、Ｗｅｂページなどにおいて、書籍から情報を検索する感覚で、情報の検索をすることが可能である。
【００１４】
また、本発明による表示装置によれば、表示されたページを連続してめくることが可能である。そのため、Ｗｅｂページなどにおいて、書籍のページをパラパラと連続してめくりながら内容を確認するのと同じような感覚で、Ｗｅｂページの閲覧をすることが可能である。
【００１５】
また、本発明による表示装置によれば、ページを連続してめくる速度を設定することが可能であり、設定した速度により表示するページの表示幅が変更される。そのため、情報を詳しく見る場合などと、情報の概要を掴む場合などとで、表示の速度を変更することが可能である。よって、情報の検索効率を高めることが可能である。
【００１６】
また、本発明による表示装置によれば、目次情報を表示することが可能である。そのため、さがしている情報の存在すると考えられる概ねのページを指定することが可能である。よって情報の検索効率を高めることが可能である。
【００１７】
また、本発明による表示装置によれば、目次情報の選択した項目の表示を変更することが可能である。そのため、現在表示しているページが目次情報のどの位置であるのかを把握することが可能である。よって目次情報の項目の選択を誤った場合などに、その誤りを認識することが可能となり、誤ったページの検索を続けるなどの時間の無駄を省くことが可能である。
【００１８】
また、本発明による表示装置によれば、ＨＴＭＬコードからページに区切られた情報と目次情報とを生成することが可能である。そのため、ＨＴＭＬコードで作成されたＷｅｂサイトなどからページに区切られた情報と目次情報とを生成することが可能である。よって、ＨＴＭＬコードで作成されたＷｅｂサイトなどを、書籍を表示するのと同じ感覚で表示することが可能である。
【発明を実施するための最良の形態】
【００１９】
以下、本発明を図面に示す実施の形態に基づいて説明する。
【００２０】
図１は、実施の形態における表示装置の外観の一例を示す図である。
図１において、表示装置１００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６、スキャナ装置９０７を備え、これらはケーブルで接続されている。
さらに、表示装置１００は、ＦＡＸ機９３２、電話器９３１とケーブルで接続され、また、ローカルエリアネットワーク（ＬＡＮ）９４２、ゲートウェイ９４１を介してインターネット９４０に接続されている。
【００２１】
図２は、実施の形態における表示装置のハードウェア構成の一例を示す図である。
図２において、表示装置１００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
ＲＡＭ９１４は、揮発性メモリの一例である。ＲＯＭ９１３、ＦＤＤ９０４、ＣＤＤ９０５、磁気ディスク装置９２０は、不揮発性メモリの一例である。これらは、記憶装置あるいは記憶部の一例である。
通信ボード９１５は、ＦＡＸ機９３２、電話器９３１、ＬＡＮ９４２等に接続されている。
例えば、通信ボード９１５、Ｋ／Ｂ９０２、スキャナ装置９０７、ＦＤＤ９０４などは、入力部の一例である。
また、例えば、ＣＲＴ表示装置９０１などは、表示動作部の一例である。
【００２２】
ここで、通信ボード９１５は、ＬＡＮ９４２に限らず、直接、インターネット９４０、或いはＩＳＤＮ等のＷＡＮ（ワイドエリアネットワーク）に接続されていても構わない。直接、インターネット９４０、或いはＩＳＤＮ等のＷＡＮに接続されている場合、表示装置１００は、インターネット９４０、或いはＩＳＤＮ等のＷＡＮに接続され、ウェブサーバ９４１は不用となる。
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００２３】
上記プログラム群９２３には、以下に述べる実施の形態の説明において「〜部」として説明する機能を実行するプログラムが記憶されている。プログラムは、ＣＰＵ９１１により読み出され実行される。
ファイル群９２４には、以下に述べる実施の形態の説明において、「〜の判定」として説明するものが、「〜ファイル」として記憶されている。
また、以下に述べる実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【００２４】
また、以下に述べる実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００２５】
また、以下に述べる実施の形態を実施するプログラムは、また、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いて記憶されても構わない。
【００２６】
実施の形態１．
図３は実施の形態１における表示装置の機能を示した機能ブロック図である。
【００２７】
図３において、表示装置１は、記憶部２と表示動作部３とページ処理部４と入力部５とを備える。
【００２８】
記憶部２は、表示する情報を記憶する。記憶部２は、ページ記憶部２１を備える。ページ記憶部２１は、ページに区切られた情報を記憶する。以下、ページとは、情報が所定部分で区切られている場合の、区切られた１つ１つ情報などを意味する。記憶部２は、例えば、図２に示すＲＡＭ９１４、ＲＯＭ９１３、ＦＤＤ９０４、ＣＤＤ９０５、磁気ディスク装置９２０などに対応する。
【００２９】
表示動作部３は、表示内容をメモリに出力する。表示動作部３は、ページ表示部３１を備える。ページ表示部３１は、ページ記憶部２１が記憶したページに区切られた情報を表示する。表示動作部３は、例えば、図２に示すＣＰＵ９１１、ＲＡＭ９１４、バス９１２などから構成される。
【００３０】
ページ処理部４は、ページをめくる処理を行う。ページ処理部４は、ページめくり部４１を備える。ページめくり部４１は、ページ表示部３１の表示するページの一部をめくる。以下、ページをめくるとは、ページ記憶部２１が記憶したページに区切られた情報をページ表示部３１が表示する場合に、表示しているページを、あたかも本やノートなどのページがめくられているかのように表示することなどを意味する。ページ表示部３１は、ページめくり部４１がページの一部をめくった場合、ページめくり部４１にめくられたページの一部に該当する、次のページの一部を表示する。ページめくり部４１がページの一部をめくった場合の、ページ表示部３１の動作を、図４と図５とを用いて後述する。ページ処理部４は、例えば、図２に示すＣＰＵ９１１、ＲＡＭ９１４、バス９１２などから構成される。
【００３１】
入力部５は、ユーザからの指示を入力する。入力部５は、指示部５１を備える。指示部５１は、ページめくり部４１にページの一部をめくる指示をする。ページめくり部４１は指示部５１から指示された場合、ページ表示部３１の表示するページの一部をめくる。入力部５は、例えば、図２に示すキーボード９０２、マウス９０３などに対応する。
【００３２】
また図３において、表示機６は、表示動作部３がメモリに出力した内容を表示する。表示機６は、例えば、図２に示すＣＲＴ表示装置９０１などである。
【００３３】
図４と図５とは、ページめくり部４１がページ表示部３１の表示するページの一部をめくる動作の一例を示す。
図４では、まず、ページ表示部３１は、ページ記憶部２１が記憶したページに区切られた情報を重ねて表示する（８１（ａ））。次に、ページめくり部４１は、ページ表示部３１の表示するページの一部をめくる。ページ表示部３１は、ページめくり部４１にめくられたページの一部に該当する、次のページの一部を表示する（８１（ｂ））。つまり、ページ表示部３１は、ページめくり部４１がページの一部である剥離部８１（ｂ）−１をめくった場合、剥離部８１（ｂ）−１に該当する、次のページの剥離部８１（ｂ）−２を表示する。
【００３４】
図５では、図４と同様の動作をする。つまり、ページ記憶部２１が記憶したページに区切られた情報を重ねて表示する（８２（ａ））。次に、ページめくり部４１は、ページ表示部３１の表示するページの一部をめくる。ページ表示部３１は、ページめくり部４１にめくられたページの一部に該当する、次のページの一部を表示する（８２（ｂ））。つまり、ページ表示部３１は、ページめくり部４１がページの一部である剥離部８２（ｂ）−１をめくった場合、剥離部８２（ｂ）−１に該当する、次のページの剥離部８２（ｂ）−２を表示する。
【００３５】
ここで、ページをめくる方向は、図４に示すように、下から上へめくることも可能である。また図５に示すように右から左へめくることも可能である。これに限定されるわけではなく、他の方向へめくることも可能である。
また、ページめくり部４１は、ページをめくり上げることも可能であるし、ページをめくり下げることなども可能である。つまり、ページを上のページから順番に読む場合のように、ページをめくり上げることも可能である。また、めくり上げられたページを逆順に読む場合のように、数ページめくり上げておいて、めくり上げたページをパラパラとめくり下げることも可能である。
【００３６】
また、ページのめくり表示に際しては、三次元アニメーションにより、あたかも紙のページをめくるかのようにグラフィック表示をすることも可能である。つまり、一連の三次元アニメーション用のコマ送りページ画像データを作成し、作成したコマ送りページ画像データを順次表示することにより、あたかも紙のページをめくるかのようにグラフィック表示をすることも可能である。言い替えると、一連のページをめくっている途中状態の画像を作成し、作成した一連のページをめくっている途中状態の画像を順次、連続して表示する。短い時間に多くの画像を切換えて表示することにより、あたかも紙のページをめくるかのように表示することも可能である。
【００３７】
図６は、ページめくり部４１がページをめくる途中段階での、ページ表示部３１の表示の一例を示す。
図６では、まず、ページ表示部３１は、ページ記憶部２１が記憶したページに区切られた情報を重ねて表示する（８３（ａ））。ページめくり部４１は、ページ表示部３１の表示するページの一部をめくる。ここでは、めくられているページは、Ｄの記載されているページであることとする。ページ表示部３１は、ページめくり部４１にめくられたページの一部に該当する、次のページの一部を表示する。つまり、次のページとは、Ｅの記載されているページを意味する。ここで、ページ表示部３１は、めくられているＤの記載されているページについても、めくっている途中段階では表示している。
【００３８】
図７は、ページめくり部４１がページ表示部３１の表示するページの一部をめくる処理のフローチャートを示す。図７のフローチャートに基づき、ページめくり部４１がページ表示部３１の表示するページの一部をめくる処理を説明する。
【００３９】
記憶ステップＳ１０１では、記憶部２のページ記憶部２１は、ページに区切られた情報を記憶する。
【００４０】
ページ表示ステップＳ１０２では、表示動作部３のページ表示部３１は、ページ記憶部２１が記憶したページに区切られた情報を、重ねて表示する。図４においては８１（ａ）であり、図５においては８２（ａ）である。
【００４１】
ページめくり指示ステップＳ１０３では、入力部５の指示部５１は、ページめくり部４１にページの一部をめくる指示をする。
【００４２】
ページめくりステップＳ１０４では、ページ処理部４のページめくり部４１は、ページ表示部３１の表示するページの一部をめくる。
【００４３】
表示動作ステップＳ１０５では、表示動作部３のページ表示部３１は、ページめくり部４１にめくられたページの一部に該当する、次のページの一部を表示する。図４においては８１（ｂ）であり、図５においては８２（ｂ）である。
【００４４】
表示機６は、表示動作部３がメモリに出力した内容を、そのまま表示する。
【００４５】
図８は、ページめくり部４１がページ表示部３１の表示するページの一部を連続してめくる処理のフローチャートを示す。図８のフローチャートに基づき、ページめくり部４１がページ表示部３１の表示するページの一部を連続してめくる処理を説明する。
【００４６】
記憶ステップＳ２０１では、記憶部２のページ記憶部２１は、ページに区切られた情報を記憶する。
【００４７】
ページ表示ステップＳ２０２では、表示動作部３のページ表示部３１は、ページ記憶部２１が記憶したページに区切られた情報を、重ねて表示する。図４においては８１（ａ）であり、図５においては８２（ａ）である。
【００４８】
ページめくり指示ステップＳ２０３では、入力部５の指示部５１は、ページめくり部４１にページの一部をめくる指示をする。
【００４９】
ページめくりステップＳ２０４では、ページ処理部４のページめくり部４１は、ページ表示部３１の表示するページの一部をめくる。
【００５０】
表示動作ステップＳ２０５では、表示動作部３のページ表示部３１は、ページめくり部４１にめくられたページの一部に該当する、次のページの一部を表示する。図４においては８１（ｂ）であり、図５においては８２（ｂ）である。
【００５１】
めくり終了判定ステップＳ２０６では、ページ処理部４のページめくり部４１は、入力部５の指示部５１からの終了の指示があった場合、または、次のページがない場合には、ページ表示部３１の表示するページの一部をめくる処理を終了する。
【００５２】
表示機６は、表示動作部３がメモリに出力した内容を、そのまま表示する。
【００５３】
本実施の形態では、上述したように、まず、連続してページをめくる場合には、ページめくり部４１は、指示部５１が一度ページをめくる開始の指示をする。すると、ページめくり部４１は、ページをめくる終了の指示がされるか、または、次のページがなくなるまで、ページをめくり続ける。そのためＷｅｂページなどにおいて、書籍のページをパラパラと連続してめくりながら内容を確認するのと同じような感覚で、Ｗｅｂページの閲覧をすることが可能である。
【００５４】
実施の形態２．
図９は実施の形態２における表示装置の機能を示した機能ブロック図である。
【００５５】
図９において、表示装置１は、記憶部２と表示動作部３とページ処理部４と入力部５とを備える。
【００５６】
記憶部２は、表示する情報を記憶する。記憶部２は、ページ記憶部２１を備える。ページ記憶部２１は、ページに区切られた情報を記憶する。記憶部２は、例えば、図２に示すＲＡＭ９１４、ＲＯＭ９１３、ＦＤＤ９０４、ＣＤＤ９０５、磁気ディスク装置９２０などに対応する。
【００５７】
表示動作部３は、表示内容をメモリに出力する。表示動作部３は、ページ表示部３１を備える。ページ表示部３１は、ページ記憶部２１が記憶したページに区切られた情報を表示する。表示動作部３は、例えば、図２に示すＣＰＵ９１１、ＲＡＭ９１４、バス９１２などから構成される。
【００５８】
ページ処理部４は、ページをめくる処理を行う。ページ処理部４は、ページめくり部４１とめくりサイズ変更部４２とを備える。ページめくり部４１は、ページ表示部３１の表示するページの一部をめくる。ページ表示部３１は、ページめくり部４１がページの一部をめくった場合、ページめくり部４１にめくられたページの一部に該当する、次のページの一部を表示する。めくりサイズ変更部４２は、ページめくり部４１がめくるページのサイズを変更する。ページ処理部４は、例えば、図２に示すＣＰＵ９１１、ＲＡＭ９１４、バス９１２などから構成される。
【００５９】
入力部５は、ユーザからの指示を入力する。入力部５は、指示部５１と速度指示部５２とを備える。指示部５１は、ページめくり部４１にページの一部をめくる指示をする。ページめくり部４１は指示部５１から指示された場合、ページ表示部３１の表示するページの一部をめくる。速度指示部５２は、ページめくり部４１がページをめくる速度を指示する。まためくりサイズ変更部４２は、速度指示部５２が指示したページをめくる速度によって、ページめくり部４１がめくるページのサイズを決定する。入力部５は、例えば、図２に示すキーボード９０２、マウス９０３などに対応する。
【００６０】
また図９において、表示機６は、表示動作部３がメモリに出力した内容を表示する。表示機６は、例えば、図２に示すＣＲＴ表示装置９０１などである。
【００６１】
図１０は、速度指示部５２がページめくり部４１のページをめくる速度の指示をした場合の、ページめくり部４１の動作の一例である。図１０において、速度指示部５２がページめくり部４１のページをめくる速度の指示をした場合の、ページめくり部４１の動作を説明する。
【００６２】
ここでは、速度指示部５２は、ページめくり部４１がページをめくる速度を低速と中側と高速とで指示している。ページをめくる速度の指示については、この例に限られず、１分間に何ページめくられるという指示などでも構わない。
【００６３】
図１０では、まず、ページ表示部３１は、ページ記憶部２１が記憶したページに区切られた情報を重ねて表示する（８４（ａ））。次に、ページめくり部４１は、速度指示部５２が指示した速度に従いページをめくる。またページめくり部４１は、速度指示部５２が指示した速度に伴い、めくるページのサイズを決定する。速度が低速の場合、ページめくり部４１は、めくるページのサイズを大きくする。そのため、次のページの内容は大きく表示される（８４（ｂ））。速度が中速の場合、ページめくり部４１は、めくるページのサイズを中くらいにする。そのため、次のページの内容は中くらいに表示される（８４（ｃ））。速度が高速の場合、ページめくり部４１は、めくるページのサイズを小さくする。そのため、次のページの内容は小さく表示される（８４（ｄ））。
【００６４】
ページをめくる速度とめくるページのサイズとの関係は、上述したものに限られない。例えば、ページ記憶部２１は、ページに区切られた情報として、ページの右側にはページの本文を持ち、ページの左側にはそのページの要約情報を持つとする。この場合に、ページめくり部４１は、ページをめくる速度が低速の場合は、ページの右側をめくり、本文を表示する。またページめくり部４１は、ページをめくる速度が高速の場合は、ページの左側をめくり、要約情報を表示するなどとしてもよい。
【００６５】
図１１は、速度指示部５２がページをめくる速度を指示した場合に、ページめくり部４１がページ表示部３１の表示するページの一部をめくる処理のフローチャートを示す。図１１のフローチャートに基づき、速度指示部５２がページをめくる速度を指示した場合に、ページめくり部４１がページ表示部３１の表示するページの一部をめくる処理を説明する。
【００６６】
記憶ステップＳ３０１では、記憶部２のページ記憶部２１は、ページに区切られた情報を記憶する。
【００６７】
ページ表示ステップＳ３０２では、表示動作部３のページ表示部３１は、ページ記憶部２１が記憶したページに区切られた情報を、重ねて表示する。図４においては８１（ａ）であり、図５においては８２（ａ）である。また、図１０においては８４（ａ）である。
【００６８】
めくり速度指示ステップＳ３０３では、入力部５の速度指示部５２は、ページめくり部４１がページをめくる速度を指示する。
【００６９】
ページめくり指示ステップＳ３０４では、入力部５の指示部５１は、ページめくり部４１にページの一部をめくる指示をする。
【００７０】
めくりサイズ変更ステップＳ３０５では、ページ処理部４のめくりサイズ変更部４２は、入力部５の速度指示部５２の指示したページをめくる速度によって、ページめくり部４１がめくるページのサイズを決定する。そして、ページ処理部４のめくりサイズ変更部４２は、ページ処理部４のページめくり部４１へ、めくるページのサイズの指示をする。
【００７１】
ページめくりステップＳ３０６では、ページ処理部４のページめくり部４１は、ページ表示部３１の表示するページの一部をめくる。この場合、ページ処理部４のページめくり部４１は、入力部５の速度指示部５２の指示した速度に従いページをめくる。また、ページ処理部４のページめくり部４１は、ページ処理部４のめくりサイズ変更部４２が指示したサイズに従いページをめくる。
【００７２】
表示動作ステップＳ３０７では、表示動作部３のページ表示部３１は、ページめくり部４１にめくられたページの一部に該当する、次のページの一部を表示する。図４においては８１（ｂ）であり、図５においては８２（ｂ）である。また、図１０においては、８４（ｂ）、８４（ｃ）、８４（ｄ）である。
【００７３】
めくり終了判定ステップＳ３０８では、ページ処理部４のページめくり部４１は、入力部５の指示部５１からの終了の指示があった場合、または、次のページがない場合には、ページ表示部３１の表示するページの一部をめくる処理を終了する。
【００７４】
表示機６は、表示動作部３がメモリに出力した内容を、そのまま表示する。
【００７５】
上述したように、本実施の形態では、ページを連続してめくる速度を設定することが可能であり、設定した速度により表示するページの表示幅が変更される。図１０のように、ページをめくる速度が低速の場合には、ページをめくる幅を大きくし、ページをめくる速度が高速の場合には、ページをめくる幅を小さくすることも可能である。そのため、情報を詳しく見る場合などには、ページをめくる速度を低速にし、情報の概要を掴む場合などには、ページをめくる速度を高速にすることなどが可能である。よって、本実施の形態による表示方法を用いれば、情報の検索効率を高めることが可能である。
【００７６】
本実施の形態では、ページをめくる速度を指定して、指定された速度に対して、表示するページの表示幅を変更した。逆に、表示するページの幅を指定して、指定された表示するページの幅に対して、ページをめくる速度を変更することなども考えられる。
【００７７】
実施の形態３．
図１２は実施の形態３における表示装置の機能を示した機能ブロック図である。
【００７８】
図１２において、表示装置１は、記憶部２と表示動作部３とページ処理部４と入力部５とを備える。
【００７９】
記憶部２は、表示する情報を記憶する。記憶部２は、ページ記憶部２１と目次記憶部２２とを備える。ページ記憶部２１は、ページに区切られた情報を記憶する。目次記憶部２２は、ページ記憶部２１が記憶するページに区切られた情報の目次情報を記憶する。記憶部２は、例えば、図２に示すＲＡＭ９１４、ＲＯＭ９１３、ＦＤＤ９０４、ＣＤＤ９０５、磁気ディスク装置９２０などに対応する。
【００８０】
表示動作部３は、表示内容をメモリに出力する。表示動作部３は、ページ表示部３１と目次表示部３２とを備える。ページ表示部３１は、ページ記憶部２１が記憶したページに区切られた情報を表示する。目次表示部３２は、目次記憶部２２が記憶した目次情報を表示する。表示動作部３は、例えば、図２に示すＣＰＵ９１１、ＲＡＭ９１４、バス９１２などから構成される。
【００８１】
ページ処理部４は、ページをめくる処理を行う。ページ処理部４は、ページめくり部４１とめくりサイズ変更部４２とを備える。ページめくり部４１は、ページ表示部３１の表示するページの一部をめくる。ページ表示部３１は、ページめくり部４１がページの一部をめくった場合、ページめくり部４１にめくられたページの一部に該当する、次のページの一部を表示する。めくりサイズ変更部４２は、ページめくり部４１がめくるページのサイズを変更する。ページ処理部４は、例えば、図２に示すＣＰＵ９１１、ＲＡＭ９１４、バス９１２などから構成される。
【００８２】
入力部５は、ユーザからの指示を入力する。入力部５は、指示部５１と速度指示部５２と選択部５３とを備える。指示部５１は、ページめくり部４１にページの一部をめくる指示をする。ページめくり部４１は指示部５１から指示された場合、ページ表示部３１の表示するページの一部をめくる。速度指示部５２は、ページめくり部４１がページをめくる速度を指示する。まためくりサイズ変更部４２は、速度指示部５２が指示したページをめくる速度によって、ページめくり部４１がめくるページのサイズを決定する。選択部５３は、目次表示部３２が表示する目次情報から、目次項目を選択する。目次表示部３２は、選択部５３が選択した目次項目の表示を変更する。例えば、色を変更することや、字体を変更することなどを行う。また、ページ表示部３１は、選択部５３が選択した目次項目に該当する情報のページを表示する。入力部５は、例えば、図２に示すキーボード９０２、マウス９０３などに対応する。
【００８３】
また図１２において、表示機６は、表示動作部３がメモリに出力した内容を表示する。表示機６は、例えば、図２に示すＣＲＴ表示装置９０１などである。
【００８４】
図１３は、選択部５３が、目次表示部３２が表示する目次情報から、目次項目を選択した場合の、目次表示部３２とページ表示部３１との表示の一例を示す。
【００８５】
図１３において、選択部５３は、目次情報８５からＤのページを選択する。この場合、目次表示部３２が表示する目次情報は、選択されたＤの項目の表示を、字体を太字にし、アンダーラインを付けるように変更した。また、ページ表示部３１は、選択したＤのページのページ情報を表示する。
【００８６】
図１４は、目次表示部とページ表示部との表示の動作のフローチャートを示す。
【００８７】
記憶ステップＳ４０１では、記憶部２のページ記憶部２１は、ページに区切られた情報を記憶する。また、記憶部２の目次記憶部２２は、記憶部２のページ記憶部２１が記憶するページに区切られた情報の目次情報を記憶する。
【００８８】
目次表示ステップＳ４０２では、表示動作部３の目次表示部３２は、記憶部２の目次記憶部２２が記憶した目次情報を表示する。
【００８９】
ページ表示ステップＳ４０３では、表示動作部３のページ表示部３１は、記憶部２のページ記憶部２１が記憶したページに区切られた情報を、重ねて表示する。図４においては８１（ａ）であり、図５においては８２（ａ）である。また、図１０においては８４（ａ）である。
【００９０】
ページ選択ステップＳ４０４では、入力部５の選択部５３は、記憶部２の目次表示部３２が表示する目次情報から、目次項目を選択する。
【００９１】
目次表示変更ステップＳ４０５では、表示動作部３の目次表示部３２は、入力部５の選択部５３が選択した目次項目の表示を変更する。
【００９２】
選択ページ表示ステップＳ４０６では、表示動作部３のページ表示部３１は、入力部５の選択部５３が選択した目次項目に該当する情報のページを表示する。
【００９３】
本実施の形態では、目次情報を表示することが可能である。そのため、本実施の形態では、さがしている情報の存在すると考えられる概ねのページを指定することが可能である。本実施の形態では、上述したページめくりを行う場合に、ページめくりの開始ページを指定し、指定したページからページめくりを行うことによって情報の検索効率を高めることが可能である。
【００９４】
また、本実施の形態では、目次情報の選択した項目の表示を変更することが可能である。そのため、本実施の形態では、現在表示しているページが目次情報のどの位置であるのかを把握することが可能である。よって、本実施の形態では、選択を誤った場合などに、その誤りを認識することが可能となり、誤ったページを検索するなどの時間の無駄を省くことが可能である。
【００９５】
また、本実施の形態では、ページめくりの開始ページを指定し、指定したページからページめくりを行う場合に、ページをめくることによって、ページ表示部３１が表示しているページと目次表示部３２の目次項目の表示を変更している項目とが違ってしまうことがある。この場合には、目次表示部３２は、ページ表示部３１が表示しているページに該当する目次項目の表示を変更することも可能である。
よって、本実施の形態では、上述したように、ページめくりの開始ページを指定し、指定したページからページめくりを行う場合に、探している情報が存在しないと考えられる目次項目のページまでページをめくったことを認識することができる。そのため、本実施の形態では、ページをめくって内容を確認する必要のないページまで、ページをめくらずに済み、時間の無駄を省くことが可能である。
【００９６】
実施の形態４．
図１５は、実施の形態３における表示装置の機能を示した機能ブロック図である。
【００９７】
図１５において、表示装置１は、記憶部２と表示動作部３とページ処理部４と入力部５とＨＴＭＬコード記憶部７１と分解部７２と中間コード記憶部７３と生成部７４と本データ記憶部７５とを備える。
【００９８】
記憶部２は、表示する情報を記憶する。記憶部２は、ページ記憶部２１と目次記憶部２２とを備える。ページ記憶部２１は、ページに区切られた情報を記憶する。目次記憶部２２は、ページ記憶部２１が記憶するページに区切られた情報の目次情報を記憶する。記憶部２は、例えば、図２に示すＲＡＭ９１４、ＲＯＭ９１３、ＦＤＤ９０４、ＣＤＤ９０５、磁気ディスク装置９２０などに対応する。
【００９９】
表示動作部３は、表示内容をメモリに出力する。表示動作部３は、ページ表示部３１と目次表示部３２とを備える。ページ表示部３１は、ページ記憶部２１が記憶したページに区切られた情報を表示する。目次表示部３２は、目次記憶部２２が記憶した目次情報を表示する。表示動作部３は、例えば、図２に示すＣＰＵ９１１、ＲＡＭ９１４、バス９１２などから構成される。
【０１００】
ページ処理部４は、ページをめくる処理を行う。ページ処理部４は、ページめくり部４１とめくりサイズ変更部４２とを備える。ページめくり部４１は、ページ表示部３１の表示するページの一部をめくる。ページ表示部３１は、ページめくり部４１がページの一部をめくった場合、ページめくり部４１にめくられたページの一部に該当する、次のページの一部を表示する。めくりサイズ変更部４２は、ページめくり部４１がめくるページのサイズを変更する。ページ処理部４は、例えば、図２に示すＣＰＵ９１１、ＲＡＭ９１４、バス９１２などから構成される。
【０１０１】
入力部５は、ユーザからの指示を入力する。入力部５は、指示部５１と速度指示部５２と選択部５３とを備える。指示部５１は、ページめくり部４１にページの一部をめくる指示をする。ページめくり部４１は指示部５１から指示された場合、ページ表示部３１の表示するページの一部をめくる。速度指示部５２は、ページめくり部４１がページをめくる速度を指示する。まためくりサイズ変更部４２は、速度指示部５２が指示したページをめくる速度によって、ページめくり部４１がめくるページのサイズを決定する。選択部５３は、目次表示部３２が表示する目次情報から、目次項目を選択する。目次表示部３２は、選択部５３が選択した目次項目の表示を変更する。例えば、色を変更することや、字体を変更することなどを行う。また、ページ表示部３１は、選択部５３が選択した目次項目に該当する情報のページを表示する。入力部５は、例えば、図２に示すキーボード９０２、マウス９０３などに対応する。
【０１０２】
ＨＴＭＬコード記憶部７１は、Ｗｅｂページなどを作成する場合に使用されるＨＴＭＬコードを記憶する。
【０１０３】
分解部７２は、ＨＴＭＬコード記憶部７１が記憶したＨＴＭＬコードを、中間コードに分解する。中間コードは、ＨＴＭＬコードを分解することで生成された、ページに分割されたページ情報と各ページを関連付けする階層構造からなる関連付情報である。中間コードは、特開２００１−３３１４０７号公報にて開示されている技術によって、ＨＴＭＬコードから生成されたコードなどである。特開２００１−３３１４０７号公報は、入力されたＨＴＭＬコードの統計の計算と要約とを行う。統計とは、リンクの数や表を含むか否かなどである。次に、特開２００１−３３１４０７号公報は、計算した統計と基準とを比較し、比較に基づき、さらにページを分割するか否かを決定する。ページを分割した場合は、特開２００１−３３１４０７号公報は、分割したページの統計の計算と要約とを行い、計算した統計と基準とを比較するステップを繰り返し実行する。特開２００１−３３１４０７号公報は、上述のようにＨＴＭＬコードを所定の基準まで分解し、中間コードを生成する。
【０１０４】
中間コード記憶部７３は、分解部７２が生成した中間コードを記憶する。
【０１０５】
生成部７４は、中間コード記憶部７３が記憶した中間コードから、目次情報と目次情報にリンクされたページ情報とを備えた本データを生成する。
【０１０６】
本データ記憶部７５は、生成部７４が生成した本データを記憶する。
【０１０７】
また図１５において、表示機６は、表示動作部３がメモリに出力した内容を表示する。表示機６は、例えば、図２に示すＣＲＴ表示装置９０１などである。
【０１０８】
図１６は、ＨＴＭＬコードから本データが生成し、表示装置に読込む動作を表すフローチャートを示す。図１６に基づきＨＴＭＬコードから本データが生成し、表示装置に読込む動作を説明する。
【０１０９】
ＨＴＭＬコード読込ステップＳ５０１では、分解部７２は、ＨＴＭＬコード記憶部７１が記憶したＨＴＭＬコードを読込む。
【０１１０】
分解ステップＳ５０２では、分解部７２は、ＨＴＭＬコード記憶部７１が記憶したＨＴＭＬコードを、中間コードに分解する。
【０１１１】
中間コード記憶ステップでは、中間コード記憶部７３は、分解部７２が生成した中間コードを記憶する。
【０１１２】
本データ生成ステップＳ５０４では、生成部７４は、中間コード記憶部７３が記憶した中間コードから本データを生成する。
【０１１３】
本データ記憶ステップＳ５０５では、本データ記憶部７５は、生成部７４が生成した本データを記憶する。
【０１１４】
表示装置読込ステップＳ５０６では、表示装置１は、本データ記憶部が記憶した本データを読込み、記憶部２に記憶する。
【０１１５】
本実施の形態では、上述したように、分解部７２と生成部７４とは、ＨＴＭＬコードからページに区切られた情報と目次情報とを生成することが可能である。そのため、ＨＴＭＬコードで作成されているＷｅｂサイトなどからページに区切られた情報と目次情報とを生成することが可能である。よって、ＨＴＭＬコードで作成されているＷｅｂサイトなどの表示を、書籍を表示するのと同じ感覚で表示することが可能である。
【０１１６】
実施の形態５．
図１７は、実施の形態における表示装置の表示方法の一例を示す。図３における表示装置１の動作であるとして、図１７の表示方法について説明する。
【０１１７】
ページ記憶部２１は、ページに区切られた情報を記憶する。ページ表示部３１は、ページ記憶部２１が記憶したページに区切られた情報を表示する。そして、指示部５１は、ページめくり部４１に画面の前進（Ｆｏｒｗａｒｄ）を指定する。この場合、ページめくり部４１は、ページ表示部３１の表示するページを前進させる。そしてページ表示部３１は、ページめくり部４１がページを前進させた場合、ページめくり部４１に前進されたページの次のページにずらして表示する。ここでは、ページめくり部４１とページ表示部３１とは、ページを前進させる動作とページを表示する動作を以下のように行う。
【０１１８】
ページ表示部３１は、ページｎ−２の右１／３を表示画面の左１／３に表示する。ページ表示部３１は、ページｎ−１の右１／３を表示画面の左１／３から２／３に表示する。ページ表示部３１は、ページｎの右１／３を表示画面の右１／３に表示する。図１７において、この表示内容は９４が相当する。つまり、それぞれのページの左１／３をａ、左１／３から２／３をｂ、右１／３をｃとすると、表示内容９４は、ページｎ−２とページｎ−１とページｎとの、それぞれのｃの部分を表示するものである。
指示部５１から画面の前進（Ｆｏｒｗａｒｄ）の指定の入力がされている間、ページめくり部４１とページ表示部３１とは、次の処理を繰り返す。ページめくり部４１は、ｎ＝ｎ＋１を行い、ページ表示部３１は、ページめくり部４１に指定されたページを表示する。つまり、１度ずらされた場合の表示は、次のようになる。ページ表示部３１は、ページｎ−１の右１／３を表示画面の左１／３に表示する。ページ表示部３１は、ページｎの右１／３を表示画面の左１／３から２／３に表示する。ページ表示部３１は、ページｎ＋１の右１／３を表示画面の右１／３に表示する。図１７において、この表示内容は９５が相当する。
【０１１９】
指示部５１から画面の前進（Ｆｏｒｗａｒｄ）の指定の入力がなくなった場合、ページめくり部４１は、ｎ＝ｎ＋１の処理を停止する。また、ページ表示部３１は、もっとも右に表示した画面のみを表示する。つまり、１度ずらされた場合に指示部５１から画面の前進の指定の入力がなくなると、ページ表示部３１は、ページｎ＋１の全画面を表示する。つまり、ページ表示部３１は、ページｎ−１とページｎとを表示せず、ページｎ＋１だけを表示する。図１７においては、９６が相当する。
【０１２０】
図１８は、図１７に示した表示方法において、一度に表示するページを２ページとした場合の例を示す。図３における表示装置１の動作であるとして、図１８の表示方法について説明する。
【０１２１】
ページ記憶部２１は、ページに区切られた情報を記憶する。ページ表示部３１は、ページ記憶部２１が記憶したページに区切られた情報を表示する。そして、指示部５１は、ページめくり部４１に画面の前進（Ｆｏｒｗａｒｄ）を指定する。この場合、ページめくり部４１は、ページ表示部３１の表示するページを前進させる。そしてページ表示部３１は、ページめくり部４１がページを前進させた場合、ページめくり部４１に前進されたページの次のページにずらして表示する。ここでは、ページめくり部４１とページ表示部３１とは、ページを前進させる動作とページを表示する動作を以下のように行う。
【０１２２】
ページ表示部３１は、ページｎ−１の右１／２を表示画面の左１／２に表示する。ページ表示部３１は、ページｎの右１／２を表示画面の右１／２に表示する。図１８において、この表示内容は９８が相当する。つまり、それぞれのページの左１／２をａ、右１／２をｂとすると、表示内容９８は、ページｎ−１とページｎとの、それぞれのｂの部分を表示するものである。
指示部５１から画面の前進（Ｆｏｒｗａｒｄ）の指定の入力がされている間、ページめくり部４１とページ表示部３１とは、次の処理を繰り返す。ページめくり部４１は、ｎ＝ｎ＋１を行い、ページ表示部３１は、ページめくり部４１に指定されたページを表示する。つまり、１度ずらされた場合の表示は、次のようになる。ページ表示部３１は、ページｎの右１／２を表示画面の左１／２に表示する。ページ表示部３１は、ページｎ＋１の右１／２を表示画面の右１／２に表示する。図１８において、この表示内容は９９が相当する。
【０１２３】
指示部５１から画面の前進（Ｆｏｒｗａｒｄ）の指定の入力がなくなった場合、ページめくり部４１は、ｎ＝ｎ＋１の処理を停止する。また、ページ表示部３１は、もっとも右に表示した画面のみを表示する。つまり、１度ずらされた場合に指示部５１から画面の前進の指定の入力がなくなると、ページ表示部３１は、ページｎ＋１の全画面を表示する。つまり、ページ表示部３１は、ページｎを表示せず、ページｎ＋１だけを表示する。図１８において、この表示内容は９６が相当する。
【０１２４】
本実施の形態では、上述したように、本のページをめくるように表示するだけでなく、ページをスライドさせて表示することも可能である。表示の内容によって、内容を読みやすい方法を選択することが可能である。そのため、表示の内容によっては、本実施の形態による表示方法を用いれば、情報の検索効率を高めることが可能である。
【産業上の利用可能性】
【０１２５】
Ｗｅｂページの表示に利用することで、情報の検索効率を高めることが可能である。特にＨＴＭＬコードで作成されたＷｅｂページに関しては、ＨＴＭＬコードから目次情報とページ情報とが生成されるため、導入に関しても、新規にＷｅｂページを構築する手間がかからない。そのため、現在存在するＷｅｂページへの応用が可能である。
【図面の簡単な説明】
【０１２６】
【図１】実施の形態における表示装置の外観の一例を示す図を示す。
【図２】実施の形態における表示装置のハードウェア構成の一例を示す図を示す。
【図３】実施の形態１における表示装置の機能を示した機能ブロック図を示す。
【図４】ページめくり部４１がページ表示部３１の表示するページの一部をめくる動作の一例を示す。
【図５】ページめくり部４１がページ表示部３１の表示するページの一部をめくる動作の一例を示す。
【図６】ページめくり部４１がページをめくる途中段階での、ページ表示部３１の表示の一例を示す。
【図７】ページめくり部４１がページ表示部３１の表示するページの一部をめくる処理のフローチャートを示す。
【図８】ページめくり部４１がページ表示部３１の表示するページの一部を連続してめくる処理のフローチャートを示す。
【図９】実施の形態２における表示装置の機能を示した機能ブロック図を示す。
【図１０】速度指示部５２がページめくり部４１のページをめくる速度の指示をした場合の、ページめくり部４１の動作の一例を示す。
【図１１】速度指示部５２がページをめくる速度を指示した場合に、ページめくり部４１がページ表示部３１の表示するページの一部をめくる処理のフローチャートを示す。
【図１２】実施の形態３における表示装置の機能を示した機能ブロック図を示す。
【図１３】選択部５３が、目次表示部３２が表示する目次情報から、目次項目を選択した場合の、目次表示部３２とページ表示部３１との表示の一例を示す。
【図１４】目次表示部とページ表示部との表示の動作のフローチャートを示す。
【図１５】実施の形態３における表示装置の機能を示した機能ブロック図を示す。
【図１６】ＨＴＭＬコードから本データが生成し、表示装置に読込む動作を表すフローチャートを示す。
【図１７】実施の形態における表示装置１の表示方法の一例を示す。
【図１８】実施の形態における表示装置１の表示方法の一例を示す。
【符号の説明】
【０１２７】
１  表示装置、２  記憶部、２１  ページ記憶部、２２  目次記憶部、３  表示動作部、３１  ページ表示部、３２  目次表示部、４  ページ処理部、４１  ページめくり部、４２  めくりサイズ変更部、５  入力部、５１  指示部、５２  速度指示部、５３  選択部、６  表示機、７１  ＨＴＭＬコード記憶部、７２  分解部、７３  中間コード記憶部、７４  生成部、７５  本データ記憶部、１００  表示装置、９０１  ＣＲＴ表示装置、９０２  Ｋ／Ｂ、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ＦＡＸ機、９４０  インターネット、９４１  ゲートウェイ、９４２  ＬＡＮ。
【図１】
2006285375.tif 000003
【図２】
2006285375.tif 000004
【図３】
2006285375.tif 000005
【図４】
2006285375.tif 000006
【図５】
2006285375.tif 000007
【図６】
2006285375.tif 000008
【図７】
2006285375.tif 000009
【図８】
2006285375.tif 000010
【図９】
2006285375.tif 000011
【図１０】
2006285375.tif 000012
【図１１】
2006285375.tif 000013
【図１２】
2006285375.tif 000014
【図１３】
2006285375.tif 000015
【図１４】
2006285375.tif 000016
【図１５】
2006285375.tif 000017
【図１６】
2006285375.tif 000018
【図１７】
2006285375.tif 000019
【図１８】
2006285375.tif 000020